(57)【要約】電子安定器は電力信号(16)からノイズ除去するフィルタ回路(12)を含む。処理後の信号の力率は力率補正回路(20)で調節される。力率補正回路は、力率調整量を変えて異なるランプ種及び又は異なるワット数の動作を適合させるべく複数の選択可能なインダクタンス値を持つプログラム可能なインダクタ回路(54)を含む。電力供給回路は、電子安定器用低レベル電力を供給するために、フィルタ処理後の電力信号から電力を変換する。出力回路は、力率補正回路による修正電力信号でランプを点火させ、動作用に電気信号を出力する。出力回路は、ランプ点火用発振電圧信号を出力する点火回路を含み、動作回路は、点火後に放電ランプ動作用電流信号を出力する。制御回路は電子安定器を制御する。電流モニターはランプの点火時期を決定する。異なるランプの適合能力は、異なる周波数で電圧信号を発振させるプログラム可能インダクタを有する点火回路で強化される。似た効果は、プログラム可能な多数の抵抗値を持つプログラム可能な抵抗回路を持つ動作回路で達成出来る。
2005529456.tif 000002
【特許請求の範囲】
【請求項１】
放電ランプを動作させるための電子安定器であり、
電源により与えられた電力信号からノイズを除去し、処理後の電力信号を出力するフィルタ回路と、
補正された電力信号を提供するために前記フィルタ処理後の電力信号の力率を調整するための力率補正回路であって、力率調整量を変更するために選択可能な複数のインダクタンス値を有する第１のプログラム可能なインダクタ回路を含む力率補正回路と、
フィルタ処理後の電力信号から受け取った電力信号を、本電子回路を動作させるために十分なパワーレベルに変換するための電力供給回路と、
補正された電力信号を受け取り、そして、前記放電ランプを点火させ、そして動作させるための電気的信号を出力する出力回路であり、放電ランプを点火させるための発振する電圧信号を出力するための点火回路および、点火後の放電ランプを動作させるための発振する電流信号を出力するための動作回路を含む出力回路と、
本電子安定器の動作を制御するための制御回路とを備える電子安定器。
【請求項２】
前記発振する電圧信号はおよそ６０KHzまたはそれ以上の周波数で発振する請求項１記載の電子安定器。
【請求項３】
前記放電ランプに与えられる電気信号をモニターするための電流モニター回路を更に備え、前記電流モニター回路により検知された電流に対応した電流モニター信号を出力する請求項１記載の電子安定器。
【請求項４】
前記制御回路は更に、前記電流モニター信号に基づく出力電流により生成された電気信号を制御するようにできる請求項３記載の電子安定器。
【請求項５】
前記点火回路は、複数の異なるタイプの放電ランプの動作をサポートするために、プログラム可能な複数のインダクタンス値を有する第２のプログラム可能なインダクタを含む請求項１記載の電子安定器。
【請求項６】
前記動作回路は、複数の異なるタイプの放電ランプの動作をサポートするために、プログラム可能な複数の抵抗値を有するプログラム可能な抵抗回路を含む請求項１記載の電子安定器。
【請求項７】
前記フィルタ回路は、ローパスフィルタを含む請求項１記載の電子安定器。
【請求項８】
前記制御回路は、プログラム可能の処理回路を含む請求項１記載の電子安定器。
【請求項９】
前記第１のプログラム可能なインダクタ回路は、前記選択可能な複数のインダクタンス値に対応する選択可能な複数のスイッチポジションを有する第１のスイッチを含み、前記第１のスイッチのスイッチポジションは、前記プログラム可能な処理ユニットにより制御される請求項８記載の電子安定器。
【請求項１０】
前記点火回路は、異なる周波数で電圧信号を発振させるために複数の選択可能なインダクタンス値を有する第２のプログラム可能なインダクタ回路を含み、前記第２のプログラム可能なインダクタ回路は、異なる周波数で電圧信号を発振させるために、前記複数の選択可能なインダクタンス値に対応する複数の選択可能なスイッチポジションを有する第２のスイッチを含み、前記第２のスイッチのスイッチポジションは前記プログラム可能な処理回路により制御される請求項８記載の電子安定器。
【請求項１１】
前記動作回路は、複数の異なるタイプの放電ランプの動作をサポートするために、複数のプログラム可能な抵抗値を有するプログラム可能な抵抗回路を含み、前記プログラム可能な抵抗回路は、前記複数のプログラム可能な抵抗値に対応する複数の選択可能なスイッチ位置を有する抵抗値のスイッチを含み、前記抵抗値のスイッチのスイッチポジションは、プログラム可能な処理ユニットにより制御される請求項８記載の電子安定器。
【請求項１２】
前記出力回路は、放電ランプへの電流を制御するために複数のパワーMOSFETスイッチ、および、前記パワーMOSFETスイッチへ電流を供給するための複数の光絶縁器を含み、前記複数の光絶縁器は前記制御回路により制御される請求項１記載の電子安定器。
【請求項１３】
前記出力回路は、複数の２重ゲートのトランジスタを含む請求項１記載の電子安定器。
【請求項１４】
放電ランプを動作させるための電子安定器であり、
電源により与えられた電力信号からノイズを除去し、フィルタ処理後のパワー信号を出力するフィルタ回路と、
補正された電力信号を提供するために前記フィルタ処理後の電力信号の力率を調整するための力率補正回路であって、力率調整量を変更するために選択可能な複数のインダクタンス値を有する第１のプログラム可能なインダクタ回路を含む力率補正回路と、
フィルタ処理後のパワー信号から受け取った電力信号を、本電子回路を動作させるために十分なパワーレベルに変換するための電力供給回路と、
補正された電力信号を受け取り、そして、前記放電ランプを点火させ、そして動作させるための電気信号を出力する出力回路であり、放電ランプを点火させるための発振する電圧信号を出力するための点火回路および、点火後の放電ランプを動作させるための発振する電流信号を出力するための動作回路を含み、前記点火回路は、複数の異なるタイプの放電ランプの動作をサポートするために、複数のプログラム可能なインダクタンスを有する第２のプログラム可能なインダクタ回路を含む、出力回路と、
本電子安定器の動作を制御するための制御回路とを備える電子安定器。
【請求項１５】
放電ランプを動作させるための電子安定器であり、
電源から受け取った電力を調節し、調節された電力信号を出力する電力調節回路と、
調節された電力信号を受け取り、そして、放電ランプを動作させるための電気信号を出力する電力供給回路とを備え、前記電力供給回路は、複数のタイプまたはサイズのランプの動作を可能にするために、電子安定器の一つ以上のパラメータを変更できるプログラム可能な処理回路を含む電子安定器。
【請求項１６】
複数のインダクタンス値を有するプログラム可能なインダクタ回路を更に備え、前記プログラム可能な処理回路は、特定のタイプ又はサイズのランプの動作のために、前記複数のインダクタンス回路の一つを選択するように動作できる請求項１５記載の電子安定器。
【請求項１７】
特定のタイプ又はサイズのランプの動作のために、前記プログラム可能な処理回路は更に、複数の周波数で前記供給回路での発振に用いられるための発振する信号を生成するようにできる請求項１５記載の電子安定器。
【請求項１８】
前記電力供給回路は、前記放電ランプを点火させるための発振する電圧信号を出力するための点火回路と、前記放電ランプの点火を維持するために発振する電流信号を出力するための動作回路を含む請求項１５記載の電子安定器。
【請求項１９】
放電ランプを動作させるための電子安定器であり、電源により与えられた電力信号からノイズを除去し、処理後の電力信号を出力するフィルタ回路と、フィルタ処理後の電力信号の電力ファクタを調節し、修正された電力信号を出力するための電力ファクタ修正回路と、フィルタ処理後の電力信号を本電子安定器の動作に十分な電力レベルに変換するための電力変換回路とを備えた請求項１５記載の電子安定器。
【請求項２０】
放電ランプに供給される電気信号をモニターする電圧モニターを更に備え、前記電圧モニターにより検知された電圧に対応する電圧モニター信号を出力する請求項１５記載の電子安定器。
【請求項２１】
前記プログラム可能な処理回路は更に、前記電圧モニター信号に基づき、前記電力供給回路により生成された電気信号を制御するようにできる請求項２０記載の電子安定器。
【請求項２２】
放電ランプに供給される電気信号をモニターするための電流モニターを更に備え、前記電流モニターにより検知された電流に対応する電流モニター信号を出力する請求項１５記載の電子安定器。
【請求項２３】
前記プログラム可能な処理回路は更に、前記電流モニター信号に基づき、前記電流供給回路により生成された電気信号を制御するようにできる請求項２２記載の電子安定器。
【請求項２４】
前記電源供給回路は、放電ランプへの電流を制御するために、複数のパワーMOSFETと、前記パワーMOSFETに電流を供給するための複数の光絶縁器とを含み、前記部数の光絶縁器の各々は前記プログラム可能な処理回路により制御される請求項１５記載の電子安定器。
【発明の詳細な説明】
【発明の詳細な説明】
【０００１】
この発明は、一般的にガス放電ランプの動作に関し、特に、この発明は、ガス放電ランプを動作させるためのトランスレスの電子安定器に関する。
【０００２】
[発明の背景]
安定器回路は、一般的にガス放電照明システムにおいて、ランプへの供給電力を制限するために使用される。動作されるランプの種類およびサイズは、典型的に、安定器回路がいかに形成されるかによって決定される。例えば、水銀灯、メタルハライド、および高圧ナトリウムランプのような高出力放電(HID)ランプは通常、高出力で運転され、かつ、比較的に低電圧で動作する蛍光ランプのようなランプとは違う安定器回路を要求する。同じタイプのランプ(つまり、水銀灯、メタルハライド、高圧ナトリウムランプ、蛍光灯など)の間であっても、ランプ毎にワット数が異なり、そのため、ランプの動作を最適にするために、安定器回路内に対応する要素の変化を要求する。その結果、通常の安定器回路は、異なるタイプのランプおよび／又は、異なるワット数で動作する同じタイプのランプを適正な動作に適合させることはできない。そのため、従来の安定器回路の困難さおよび不便さを排除する多用途の安定器回路が必要とされていた。
【０００３】
[発明の概要]
この発明は、放電ランプ、特にメタルバライドおよび高圧ナトリウムのような高圧放電ランプの動作に適した電子安定器を備えることにより、従来技術の困難さおよび不便さを排除する。その電子安定器は、電源によって与えられる電力信号からのノイズを除去するためのフィルタ回路を含み、フィルタ処理した電力信号を提供する。力率補正回路は、フィルタ処理された信号の力率を調節し、補正された電力信号を与える。力率補正回路内に、第１のプログラム可能なインダクタ回路を備え、これは力率調整の量を変更するために選択可能な多数のインダクタを有する。このプログラム可能なインダクタ回路は、力率補正回路で、異なるランプを動作させるために要求されるような力率を調節することを可能にする。電源回路は、フィルタ処理された電力信号から受け取った電力を、電子安定器を動作させるのに十分となるパワーレベルに変換する。出力回路は、補正された電力信号を受け取って、放電ランプを起動させ、動作させるために電気信号を与える。その出力回路は、放電ランプを点火させるための発振する電圧信号を発生するための点火回路および、点火後、放電ランプを動作させるために、発振する電流信号を与えるための動作回路を含む。好ましい実施例では、点火回路は、およそ６０KHzから５００KHzの範囲の高周波数で電圧信号を発振する。制御回路は、電子安定器の全体的な動作を制御する。
【０００４】
その制御回路は、安定器回路を制御するために、種々のタイプのセンサー帰還を用いてもよい。例えば。安定器回路は、放電ランプに与えられる電気信号をモニターするための電流モニターを含んでもよい。その電流モニターの信号は、ランプが点火モードから動作モードにいつ切り替わったかを知るために、ランプがいつ点灯したかを決定するために前記制御回路で用いることができる。
【０００５】
異なる放電ランプの動作に適合させる、安定器回路の能力は、点火回路内に第２のプログラム可能なインダクタ回路(これは、電圧信号を異なる周波数で発振させるために、多数の選択可能なインダクタンス値を持つ)を含むことにより更に強化される。追加的に、その動作回路は、多数の異なるタイプの放電ランプの動作をサポートするために、多数の抵抗値を持つ、プログラム可能な抵抗回路を含んでもよい。
【０００６】
その制御回路は好ましくはプログラム可能なデジタル信号プロセッサを含む。そのデジタル信号プロセッサは、プログラム可能なインダクタおよびプログラム可能な抵抗回路に結合して用いられる制御スイッチを制御するためにプログラムされる。そのスイッチは、インダクタンス抵抗の値に対応して複数のスイッチポジションを持ち、そして、各スイッチは、安定器回路に接続された特定の放電ランプの動作を最適にするようスイッチのポジションを決めるために、そのデジタル信号プロセッサにより制御される。
【０００７】
放電ランプに供給される電流は、その電流をブーストするために、デジタル信号プロセッサにより制御される光絶縁器(これがなければ、デジタル信号プロセッサのみで駆動する必要がある)と結合したパワーMOSFETスイッチにより制御されてもよい。ノイズのエネルギーを低減するために、そのパワーMOSFETは二重ゲートのものであってもよい。
【０００８】
[好ましい実施例の詳細な説明]
以下、この発明の好ましい実施例を添付図面を参照して述べる。全図面中、似た又は同一の部品については同じ参照番号を付している。この発明のある特定の好ましい実施例の詳細な説明に関連して本発明が実施されるが、ここで用いた技術は、最も広い正当な方法で解釈されることを意図している。これは更に、個々で用いたいくつかの特定の用語に関して重要視している。任意の限定された方法で読者によって解釈されると意図したどんな用語も、この明細書では、そのように明白にかつ特別に定義される。
【０００９】
図１は、この発明の好ましい実施例による電子安定器回路１０の基本ブロック図を示す。その安定器回路１０は、電源１６により与えられる電力信号からノイズを除去するために機能する、電磁インターフェース(EMI)フィルタ回路１２を含む。好ましい実施例では、そのフィルタ回路１２は、ローパスフィルタを含む。又、好ましくは、そのEMIフィルタ回路１２は、異なるタイプおよび到来する電力信号１４内のノイズレベルに適合するように整合可能である。
【００１０】
フィルタ処理後の電力信号１８は、力率補正(PFC)ブースト調整回路２０および保護電源供給回路２２に供給する。その力率補正回路２０は、力率を補正するために、フィルタ処理後のパワー信号を調整する。以下に詳しく述べるように、その力率は、センサー帰還によって自動的に、またはディップスイッチを通じて手動で補正できる。好ましくは、力率補正回路２０は、可変のパラメータを持つ、一つ以上の回路要素を含み、安定器回路の能力を強めて、放電ランプの異なるタイプおよび／又はワット数に適合させる。
【００１１】
保護／電源供給回路２２は、入力されるフィルタ処理後のパワー電源を、電子安定器１０を動作させるのに十分となるレベルに変換する。好ましい実施例では、安定器回路１０は、電源回路２２から供給される１５V供給により動作する。電源供給回路２２内の電圧調整器は、供給された電力をおよそ１２〜１５Ｖに維持する。保護／電源供給回路２２はまた、過熱状態が存在した時、安定器回路１０の動作を遮断することにより、過熱保護を与える。
【００１２】
力率補正回路２０により生成された修正電力信号２４は、ガス放電ランプ２８を点火させ、点灯させるよう機能する出力回路２６で受け取られる。この安定器回路１０での使用に適した放電ランプは、水銀灯、メタルハライド、および高圧ナトリウムランプを含む。好ましくは出力回路２６は、放電ランプの異なるタイプおよび／又はワット数に適合させるために安定器回路の能力を強める可変のパラメータを持つ一つ以上の回路要素を含む。
【００１３】
制御ロジック回路３０は、安定器回路１０のランプ２８の点火および動作を含む動作を制御する。ライン３２上のセンサー帰還は、ランプ２８がいつ点火したかを決定するために制御回路３０で用いられる。
【００１４】
図１に示した好ましい実施例の安定器回路１０を図２、３を参照して次に述べる。図１の各機能ブロックは、一般に図２の破線のブロックを用いて示される。フィルタ回路１２内において、ライン４０ａ、４０ｂ上の入力される電力に生じたパワーサージは、サージ抑圧器４２によって抑圧される。安定器回路１０は、ACまたはDC電力のいずれかに適合する。インダクタ４４およびキャパシタ４６〜５０は、電力信号から要求されない要素を除去するローパスフィルタとして作用する。全波ブリッジ回路５２は、力率補正回路２０および保護／電源回路２２で電力信号が受け取られる前に、整流する。フィルタ回路１２のパラメータは、入力される電力信号の、所望されるか要求されるような、異なったレベルの状態を与えるために整合可能である。
【００１５】
力率補正回路２０は、力率調整値の値を変えるために、選択可能な多数のインダクタンス値を持ち、かつ、異なるランプ２８を点火、動作たせるために、安定器回路１０の能力を高める、プログラム可能なインダクタ回路を含む。好ましい実施例では、プログラム可能なインダクタ回路は、１次巻線５４'および２次巻線５４”を持ち、入力される電力信号の力率を調整するために機能し、そして、ライン５６上に修正された電力信号を生成するプログラム可能なインダクタ５４を含む。インダクタ５４は、要求されるような力率の値を変更するための選択可能な多数のインダクタンスを含む。例えば、より高いインダクタンス値は、力率補償量を増し、より少ないインダクタンス値は、有効な力率補償を低減する。好ましい実施例では、インダクタ５４の各巻線５４'、５４”は、関連したスイッチ５８、６０を有する。そのスイッチ５８、６０は、異なるポイントでインダクタの巻線をタップする、複数のスイッチポジションを持ち、これにより、各スイッチポジションが異なるインダクタンス値を生じ、その結果、異なる力率調整値が得られる。スイッチ５８、６０のポジションは、制御スイッチ３０により制御される。
【００１６】
別の実施例では、プログラム可能なインダクタ回路は、各々が異なるインダクタンス値を有する多数のインダクタを含む。この別の実施例では、制御回路３０は、電力信号の力率を調整するために、個々のインダクタンスを選択するように機能する。
【００１７】
修正された電力信号５６は、保護／電源回路２２および出力回路２６に供給される。電源回路２２において、抵抗６０、６２は、安定器回路１０を動作させるための低レベルの電圧を与える電圧分割器の基本要素を形成する。好ましい実施例では、電圧調整器６４は、およそ５Vからおよそ１５Vの範囲のDC電圧を維持する。
【００１８】
続けて図２を参照すると、出力回路２６は、共振回路のインダクタ６６およびキャパシタ６８を含み、これは、ランプ２８を点火するために、発振する電圧信号をライン６９に与える点火回路を形成する。図２の回路を簡略化する目的のため、ランプ２８は、出力回路２６の一部として示している。好ましくは、電圧信号６９は、およそ６０KHz〜５００KHzの範囲の高い周波数および１１KVまたはそれ以上の高い電圧で発振する。
【００１９】
安定器回路１０の能力を強めて、異なるタイプおよびワット数のランプ２８を適合させるために、共振インダクタ６６は、必要とされるような周波数および電圧を変えるために、プログラム可能で選択可能な多数のインダクタンス値を含む。例えば、インダクタ６６のインダクタンス値の増大は、電圧および周波数を増すように機能し、一方、インダクタ６６のインダクタンス値の低下は、電圧および周波数を低減するように機能する。好ましい実施例では、共振インダクタ６６は、関連するスイッチ７０を有する。そのスイッチ７０は、異なるポイントでインダクタの巻線をタップする、複数のスイッチポジションを持ち、これにより、各スイッチポジションが異なるインダクタンス値を生じ、その結果、ライン６９上に異なる点火信号が得られる。スイッチ７０のポジションは、制御スイッチ３０により制御される。出力回路２６内のより詳細な要素は図３に示される。
【００２０】
別の実施例では、共振インダクタ６６は、それぞれが異なるインダクタンス値を持つ多数のインダクタに置き換えられる。この別の実施例では、制御回路３０は、ライン６９に要求されるような電圧信号に調整するために、個々のインダクタを選択するように動作する。ランプ２８を点火するための電力は、一対のMOSFET７２、７４を用いてスイッチ７０にあたえられる。
【００２１】
安定器回路１０の初期のパワーアップ期では、ランプ２８は、極めて高いインピーダンスのデバイスのように見え、出力回路からランプ２８へは殆ど、または全く電流は流ない。ランプ２８が点火すると、出力回路からランプ２８へ電流が流れる。電流センサー７６は、ランプ２８へ流れる始動電流を検知し、そのような指示を制御回路３０に与える。アナログ／デジタルコンバータ７８は、制御回路３０による使用のために電流センサー出力をデジタル化する。その出力回路３０は、その後、ランプ２８に印加される、ライン６９上の電流信号の発振を確立することにより、ランプ２８の動作を制御する。より正確には、ランプ２８の点火後、抵抗８４およびパワーMOSFETデバイス７２、７４から、スイッチ７０および共振抵抗６６を通じ、更に、ランプ２８およびパワーMOSFETデバイス８０、８２を通じて電流が流れる。その結果、プログラム可能な抵抗８４、スイッチ８６、７０、共振インダクタ６６、およびパワーMOSFETデバイス７２、７４、８０、８２は、点火後のランプ２８の動作を維持するための動作回路の主な要素を構成する。パワーMOSFETデバイス７２、７４、８０、８２は、好ましくは二重ゲートのトランジスタである。
【００２２】
パワーMOSFETデバイス７２、７４は、ハーフブリッジ構成で示されるが、別の実施例として、ランプ２８を動作させるために利用できる電流の大きさを増すために、二つの追加的なパワーMOSFETデバイスを付加したフルMOSFETブリッジが動作回路の一部として備えられてもよい。好ましくは、電流信号６９は、およそ６０KHz〜およそ５００KHzの範囲、またはそれ以上の高い周波数で発振する。点火の間の電圧信号６９および、動作の間の電流信号６９の高い周波数での発振は、音響歪みおよび、放電ランプが低い周波数で動作している時に典型的に発生する、ちらつきを排除する。
【００２３】
多数のプログラム可能な抵抗値を持つプログラム可能な抵抗８４は、ランプ２８に流れる電流のレベルを要求されるように変化させ、そのことが、安定器回路１０の能力を強め、異なるタイプおよび／又はワット数のランプを動作させる。好ましい実施例では、プログラム可能な抵抗８４は、関連するスイッチ８６を持ち、そのスイッチ８６は、異なるポイントで抵抗をタップする、複数のスイッチポジションを持ち、これにより、各スイッチポジションが異なる抵抗値を生じ、その結果、ランプ２８に異なるレベルの電流が得られる。図２で構成では、抵抗８４の抵抗値の増大は、対応して電流を減じ、一方、抵抗８４の抵抗値の低下は、対応して電流を増す。スイッチ８６の位置は、制御回路３０により制御される。
【００２４】
別の実施例では、プログラム可能な抵抗８４は、各々が異なる抵抗値を有する多数の抵抗に置き換えられる。この別の実施例では、制御回路３０は、要求されるようなランプ２８に流れる動作電流を設定するために、個々の抵抗を選択するように機能する。
【００２５】
図２の実施例の制御回路３０は、プログラム可能な処理回路を含み、それは好ましくは、安定器回路１０内で、特定の機能を達成するために、多数のプログラム可能なI/Oを持ち、かつ、各々のI/Oはプログラムされるか、コード化される、デジタル信号プロセッサ９０である。例えば、上述した各スイッチ５８、６０、７０、８６に対して、そのデジタル新ゴアプロセッサ９０は、前記スイッチを制御するようにプログラムされたI/Oを含む。その制御回路３０は、パワーMOSFET７２、７４、７５を駆動するよう機能する光絶縁器９４〜９８も含む。別の実施例では、マイクロプロセッサまたは、他のタイプのプログラム可能な処理回路がデジタル信号プロセッサ９０の替わりに用いられる。上述した出力回路２６内のフルブリッジMOSFET回路の別の実施例では、二つの追加したパワーMOSFETデバイスを駆動するために、追加的な二つの光絶縁器が要求される。
【００２６】
好ましい実施例では、デジタル信号プロセッサ(DSP)９０は、テキサス・インストルメントより部品NO.TMS 320LC2402Aで供給される。安定器回路１０の機能を達成するためにI/Oのプログラミングすることは、当業者の能力範囲内である。電源９２は、保護／電力供給回路２２の低出力電圧を、更に低い電圧に変換し、DSP９０を動作させるには、好ましくはおよそ３．３VのDCからおよそ５．０VのDCの範囲である。制御回路３０の別の実施例では、インテルより供給されるペンティアム（登録商標）３プロセサのようなマイクロプロセッサは、DSP９０の替わりに用いられる。
【００２７】
DSP９０のプログラミングのために、通信ポート１００が備えられる。好ましい実施例では、その通信ポート１００は、工業的に標準のRS232ポートである。ランプ２８の減光のために、DSP９０が周囲光のセンサー出力を受け取れるように、減光インターフェース１０２も備えられる。アナログ出力を生成する周囲光の光センサーのために、そのセンサー出力は、DSP９０による処理のために、(アナログ／デジタルコンバータにより)デジタル形態に変換される。
【００２８】
上記の記述は、この発明のある好ましい実施例を詳しく述べ、また、意図されたベストモードを述べている。しかしながら、上記の記載でいかに詳しく述べようと、この発明は、この発明の本旨から外れることなく、多くの方法で実施できることが理解されるであろう。従って、上述した記載は、むしろ、限定するものではなく例として考慮されるものであり、この発明の真の範囲は、上記のクレームおよびそれのいずれかの等価なものによって限定される。
【図面の簡単な説明】
【００２９】
【図１】この発明による電子安定器の基本的なブロック図
【図２】この発明による電子安定器の回路図
【図３】この発明による出力回路の要素を示す回路図
【符号の説明】
【００３０】
１０  電子安定器回路
１６  電源
１２  フィルタ回路
１８  電力信号
２０  力率補正(PFC)ブースト調整回路
２２  保護電源供給回路
２６  出力回路
２８  ランプ
３０  制御スイッチ
【図１】
2005529456.tif 000003
【図２】
2005529456.tif 000004
【図３】
2005529456.tif 000005
【国際調査報告】
2005529456.tif 000006